(57)【要約】  無線信号を検出し、分類するように構成された通信検出および分類装置を含むシステムが開示される。本システムは、利用可能な無線通信サービスを検出し、利用可能な無線通信サービスに関係するシステムパラメータをメモリに記憶するように構成された通信サービス検出ユニットと、通信検出および分類装置の近傍内の無線信号を検出し、検出された無線信号を記憶するように構成されたアクセスプローブおよびエネルギー検出ユニットと、ここにおいて、無線信号が、検出された利用可能な無線通信サービスのうちの１つを介して通信される、検出された無線信号を分析するように構成された分析ユニットと、分析ユニットの出力に基づいて、検出された無線信号のアクティビティのタイプを分類するように構成された分類ユニットとを含み得る。【選択図】      図８
2016517207.tif 000002
【特許請求の範囲】
【請求項１】
無線信号を検出し、分類するように構成された通信検出および分類装置を含むシステムであって、前記システムが、
前記通信検出および分類装置の近傍内の無線信号を検出し、前記検出された無線信号を記憶するように構成されたアクセスプローブおよびエネルギー検出ユニットと、
前記検出された無線信号を分析するように構成された分析ユニットと、
前記分析ユニットの出力に基づいて前記検出された無線信号のアクティビティのタイプを分類するように構成された分類ユニットと
を備える、システム。
【請求項２】
利用可能な無線通信サービスを検出し、前記利用可能な無線通信サービスに関係するシステムパラメータをメモリに記憶するように構成された通信サービス検出ユニット
をさらに備え、
ここにおいて、前記検出された無線信号が、前記検出された利用可能な無線通信サービスを介して通信される、請求項１に記載のシステム。
【請求項３】
前記通信サービス検出ユニットが、複数の通信サービスを介して通信するように構成されたマルチモードトランシーバを含み、ここにおいて、前記利用可能な無線通信サービスに関係する前記システムパラメータが、周波数帯域と、周波数チャネルと、エアインターフェースプロトコルと、ランダムアクセスチャネルパラメータとのうちの１つまたは複数を備える、請求項２に記載のシステム。
【請求項４】
前記マルチモードトランシーバが、利用可能な無線通信サービスを周期的に検出し、前記メモリに記憶された前記システムパラメータを更新するように構成された、請求項３に記載のシステム。
【請求項５】
前記マルチモードトランシーバが、利用可能な無線通信サービスを継続的に検出し、前記メモリに記憶された前記システムパラメータを更新するように構成された、請求項３に記載のシステム。
【請求項６】
前記アクセスプローブおよびエネルギー検出ユニットが、前記メモリに記憶された前記利用可能な無線通信サービスに関係する前記システムパラメータを使用して前記無線信号を検出するように構成された、請求項３に記載のシステム。
【請求項７】
前記アクセスプローブおよびエネルギー検出ユニットが制御トリガに基づいてアクティブにされる、請求項３に記載のシステム。
【請求項８】
前記分析ユニットが、時間分析とスペクトル分析とのうちの１つまたは複数を実行するようにさらに構成された、請求項１に記載のシステム。
【請求項９】
前記アクティビティのタイプが、テキストメッセージと、音声呼と、ユーザ主導型インターネットアクセスと、バックグラウンド通信とのうちの１つまたは複数を含む、請求項１に記載のシステム。
【請求項１０】
前記分類ユニットが、前記分類されたアクティビティのタイプの時間を示す記録を記憶するようにさらに構成された、請求項１に記載のシステム。
【請求項１１】
ピクチャとビデオとのうちの１つまたは複数を記録するように構成されたカメラと、
音を記録するように構成されたマイクロフォンと
のうちの少なくとも１つをさらに備え、
ここにおいて、前記分類ユニットが、前記分析ユニットの前記出力と、前記記録されたピクチャ、ビデオおよび音のうちの１つまたは複数とに基づいて、前記検出された無線信号の前記アクティビティのタイプを分類するようにさらに構成された、請求項１に記載のシステム。
【請求項１２】
前記カメラは、前記アクセスプローブおよびエネルギー検出ユニットが無線信号を検出したことに応答してアクティブにされる、請求項１１に記載のシステム。
【請求項１３】
前記マイクロフォンは、前記アクセスプローブおよびエネルギー検出ユニットが無線信号を検出したことに応答してアクティブにされる、請求項１１に記載のシステム。
【請求項１４】
前記通信検出および分類装置の位置を決定するように構成された位置／ロケーションユニット
をさらに備える、請求項１に記載のシステム。
【請求項１５】
前記アクセスプローブおよびエネルギー検出ユニットは、前記通信検出および分類装置が移動していることを前記位置／ロケーションユニットが示す場合に動作可能である、請求項１４に記載のシステム。
【請求項１６】
車両
をさらに備え、ここにおいて、前記通信検出および分類装置が車両上にまたは車両内に位置する、請求項１に記載のシステム。
【請求項１７】
通信検出および分類装置を使用して無線信号を検出し、分類する方法であって、前記方法が、
前記通信検出および分類装置の近傍内の無線信号を検出することと、
前記検出された無線信号を記憶することと、
前記検出された無線信号を分析することと、
前記分析に基づいて前記検出された無線信号のアクティビティのタイプを分類することと
を備える、方法。
【請求項１８】
利用可能な無線通信サービスを検出することと、
前記利用可能な無線通信サービスに関係するシステムパラメータをメモリに記憶することと
をさらに備え、
ここにおいて、前記検出された無線信号が、前記検出された利用可能な無線通信サービスのうちの１つを介して通信される、請求項１７に記載の方法。
【請求項１９】
利用可能な無線通信サービスを検出することが、複数の通信サービスを介して利用可能な無線通信サービスを検出することを備え、
ここにおいて、前記利用可能な無線通信サービスに関係する前記システムパラメータが、周波数帯域と、周波数チャネルと、エアインターフェースプロトコルと、ランダムアクセスチャネルパラメータとのうちの１つまたは複数を備える、請求項１８に記載の方法。
【請求項２０】
利用可能な無線通信サービスを周期的に検出することと、
前記メモリに記憶された前記システムパラメータを更新することと
をさらに備える、請求項１９に記載の方法。
【請求項２１】
利用可能な無線通信サービスを継続的に検出することと、
前記メモリに記憶された前記システムパラメータを更新することと
をさらに備える、請求項１９に記載の方法。
【請求項２２】
前記通信検出および分類装置の前記近傍内の前記無線信号を検出することが、前記メモリに記憶された前記利用可能な無線通信サービスに関係する前記システムパラメータを使用して前記無線信号を検出することを備える、請求項１９に記載の方法。
【請求項２３】
前記通信検出および分類装置の前記近傍内の前記無線信号を検出することが、制御トリガに基づいてアクティブにされる、請求項１９に記載の方法。
【請求項２４】
前記検出された無線信号を分析することが、時間分析とスペクトル分析とのうちの１つまたは複数を実行することを備える、請求項１７に記載の方法。
【請求項２５】
前記アクティビティのタイプが、テキストメッセージと、音声呼と、ユーザ主導型インターネットアクセスと、バックグラウンド通信とのうちの１つまたは複数を含む、請求項１７に記載の方法。
【請求項２６】
前記分類されたアクティビティのタイプの時間を示す記録を記憶すること
をさらに備える、請求項１７に記載の方法。
【請求項２７】
前記分析と、記録されたピクチャ、ビデオおよび音のうちの１つまたは複数とに基づいて、前記検出された無線信号の前記アクティビティのタイプを分類すること
をさらに備える、請求項１７に記載の方法。
【請求項２８】
無線信号を検出したことに応答してカメラをアクティブにすること
をさらに備える、請求項２７に記載の方法。
【請求項２９】
無線信号を検出したことに応答してマイクロフォンをアクティブにすること
をさらに備える、請求項２７に記載の方法。
【請求項３０】
前記通信検出および分類装置の位置を決定すること
をさらに備える、請求項１７に記載の方法。
【請求項３１】
前記通信検出および分類装置が移動していると決定すること
をさらに備え、
ここにおいて、前記通信検出および分類装置の近傍内の無線信号を検出することは、前記通信検出および分類装置が移動していると決定された場合に前記通信検出および分類装置の近傍内の無線信号を検出することを備える、請求項３０に記載の方法。
【請求項３２】
前記通信検出および分類装置が車両上にまたは車両内に位置する、請求項１７に記載の方法。
【請求項３３】
通信検出および分類装置を使用して無線信号を検出し、分類するように構成されたシステムであって、前記システムが、
前記通信検出および分類装置の近傍内の無線信号を検出するための手段と、
前記検出された無線信号を記憶するための手段と、
前記検出された無線信号を分析するための手段と、
前記分析に基づいて前記検出された無線信号のアクティビティのタイプを分類するための手段と
を備える、システム。
【請求項３４】
利用可能な無線通信サービスを検出するための手段と、
前記利用可能な無線通信サービスに関係するシステムパラメータをメモリに記憶するための手段と、ここにおいて、前記検出された無線信号が、前記検出された利用可能な無線通信サービスのうちの１つを介して通信される、
をさらに備える、請求項３３に記載のシステム。
【請求項３５】
実行されたとき、無線信号を検出し、分類するように構成されたシステムの１つまたは複数のプロセッサに、
前記通信検出および分類装置の近傍内の無線信号を検出することと、
前記検出された無線信号を記憶することと、
前記検出された無線信号を分析することと、
前記分析に基づいて前記検出された無線信号のアクティビティのタイプを分類することと
を行わせる命令を記憶するコンピュータ可読記憶媒体。
【請求項３６】
前記１つまたは複数のプロセッサに、
利用可能な無線通信サービスを検出することと、
前記利用可能な無線通信サービスに関係するシステムパラメータをメモリに記憶することと
をさらに行わせ、
ここにおいて、前記検出された無線信号が、前記検出された利用可能な無線通信サービスのうちの１つを介して通信される、請求項３５に記載のコンピュータ可読記憶媒体。
【請求項３７】
無線信号を検出し、分類するように構成された通信検出および分類装置であって、前記通信検出および分類装置が、
前記通信検出および分類装置の近傍内の無線信号を検出し、前記検出された無線信号を記憶するように構成されたアクセスプローブおよびエネルギー検出ユニットと、
前記検出された無線信号を分析するように構成された分析ユニットと、
前記分析ユニットの出力に基づいて前記検出された無線信号のアクティビティのタイプを分類するように構成された分類ユニットと
を備える、通信検出および分類装置。
【請求項３８】
利用可能な無線通信サービスを検出し、前記利用可能な無線通信サービスに関係するシステムパラメータをメモリに記憶するように構成された通信サービス検出ユニット
をさらに備え、
ここにおいて、前記検出された無線信号が、前記検出された利用可能な無線通信サービスのうちの１つを介して通信される、請求項３７に記載の通信および検出装置。
【請求項３９】
前記通信サービス検出ユニットが、複数の通信サービスを介して通信するように構成されたマルチモードトランシーバを含み、ここにおいて、前記利用可能な無線通信サービスに関係する前記システムパラメータが、周波数帯域と、周波数チャネルと、エアインターフェースプロトコルと、ランダムアクセスチャネルパラメータとのうちの１つまたは複数を備える、請求項３８に記載の通信検出および分類装置。
【請求項４０】
前記マルチモードトランシーバが、利用可能な無線通信サービスを周期的に検出し、前記メモリに記憶された前記システムパラメータを更新するように構成された、請求項３９に記載の通信検出および分類装置。
【請求項４１】
前記マルチモードトランシーバが、利用可能な無線通信サービスを継続的に検出し、前記メモリに記憶された前記システムパラメータを更新するように構成された、請求項３９に記載の通信検出および分類装置。
【請求項４２】
前記アクセスプローブおよびエネルギー検出ユニットが、前記メモリに記憶された前記利用可能な無線通信サービスに関係する前記システムパラメータを使用して前記無線信号を検出するように構成された、請求項３９に記載の通信検出および分類装置。
【請求項４３】
前記アクセスプローブおよびエネルギー検出ユニットが制御トリガに基づいてアクティブにされる、請求項３９に記載の通信検出および分類装置。
【請求項４４】
前記分析ユニットが、時間分析とスペクトル分析とのうちの１つまたは複数を実行するようにさらに構成された、請求項３７に記載の通信検出および分類装置。
【請求項４５】
前記アクティビティのタイプが、テキストメッセージと、音声呼と、ユーザ主導型インターネットアクセスと、バックグラウンド通信とのうちの１つまたは複数を含む、請求項３７に記載の通信検出および分類装置。
【請求項４６】
前記分類ユニットが、前記分類されたアクティビティのタイプの時間を示す記録を記憶するようにさらに構成された、請求項３７に記載の通信検出および分類装置。
【請求項４７】
ピクチャとビデオとのうちの１つまたは複数を記録するように構成されたカメラと、
音を記録するように構成されたマイクロフォンと
のうちの少なくとも１つをさらに備え、
ここにおいて、前記分類ユニットが、前記分析ユニットの前記出力と、前記記録されたピクチャ、ビデオおよび音のうちの１つまたは複数とに基づいて、前記検出された無線信号の前記アクティビティのタイプを分類するようにさらに構成された、請求項３７に記載の通信検出および分類装置。
【請求項４８】
前記カメラは、前記アクセスプローブおよびエネルギー検出ユニットが無線信号を検出したことに応答してアクティブにされる、請求項４７に記載の通信検出および分類装置。
【請求項４９】
前記マイクロフォンは、前記アクセスプローブおよびエネルギー検出ユニットが無線信号を検出したことに応答してアクティブにされる、請求項４７に記載の通信検出および分類装置。
【請求項５０】
前記通信検出および分類装置の位置を決定するように構成された位置／ロケーションユニット
をさらに備える、請求項３７に記載の通信検出および分類装置。
【請求項５１】
前記アクセスプローブおよびエネルギー検出ユニットは、前記通信検出および分類装置が移動していることを前記位置／ロケーションユニットが示す場合に動作可能である、請求項５０に記載の通信検出および分類装置。
【請求項５２】
無線信号を検出し、分類するように構成された通信検出および分類装置であって、前記装置は、
利用可能な無線通信サービスを検出し、前記利用可能な無線通信サービスに関係するシステムパラメータをメモリに記憶するように構成され、前記通信検出および分類装置の近傍内の無線信号を検出し、前記検出された無線信号を記憶するように構成されたエネルギー検出ユニットと、ここにおいて、前記無線信号が、前記検出された利用可能な無線通信サービスのうちの１つを介して通信される、
前記検出された無線信号を分析するように構成された分析ユニットと、
前記分析ユニットの出力に基づいて前記検出された無線信号のアクティビティのタイプを分類するように構成された分類ユニットと
を備える、装置。
【発明の詳細な説明】
【技術分野】
【０００１】
[0001]本開示は、無線信号の検出および分類に関する。
【背景技術】
【０００２】
[0002]運転中のモバイルフォンおよび他のネットワーク接続デバイスの使用は交通事故における主要な要因として特定されている。このため、ドライバを雇用する会社は、彼らの従業員および資産を保護するためにモバイルフォンの使用を制限することに強い関心をもっている。運転中のモバイルフォンの使用を阻止するための現在の試みは、しばしば、会社所有の電話の支給を伴う。そのような電話は、一般に、車両移動が検出されたときに通信能力（たとえば、テキストサービス、インターネットブラウジングサービス、ヘッドセットなしの通話）を無効にするソフトウェアを含む。しかしながら、ドライバが、そのようなブロッキングソフトウェアを含まない携帯電話を使用する場合、そのような対策は容易に破られる。
【発明の概要】
【０００３】
[0003]概して、本開示では、無線信号の検出および分類のための技法について説明する。様々な例では、本開示は、車両のオペレータから発信した無線通信を検出し、無線通信のアクティビティのタイプを分類するための方法および装置を提供する。このようにして、潜在的にドライバの気を散らし得るアクティビティ（たとえば、電話をかけること、テキストメッセージ送ることなど）に関係する情報が取得され得る。
【０００４】
[0004]本開示の一例では、無線信号を検出し、分類するように構成された通信検出および分類装置を含むシステムが開示される。本システムは、通信検出および分類装置の近傍内の無線信号を検出し、検出された無線信号を記憶するように構成されたアクセスプローブおよびエネルギー検出ユニットと、検出された無線信号を分析するように構成された分析ユニットと、分析ユニットの出力に基づいて、検出された無線信号のアクティビティのタイプを分類するように構成された分類ユニットとを含み得る。一例では、本システムは、利用可能な無線通信サービスを検出し、利用可能な無線通信サービスに関係するシステムパラメータをメモリに記憶するように構成された通信サービス検出ユニットをさらに含み得、ここにおいて、検出された無線信号は、検出された利用可能な無線通信サービスのうちの１つを介して通信される。
【０００５】
[0005]別の例では、通信検出および分類装置を使用して無線信号を検出し、分類する方法は、利用可能な無線通信サービスを検出することと、利用可能な無線通信サービスに関係するシステムパラメータをメモリに記憶することと、通信検出および分類装置の近傍内の無線信号を検出することと、ここにおいて、無線信号が、検出された利用可能な無線通信サービスのうちの１つを介して通信される、検出された無線信号を記憶することと、検出された無線信号を分析することと、上記分析に基づいて、検出された無線信号のアクティビティのタイプを分類することとを備える。
【０００６】
[0006]別の例では、通信検出および分類装置を使用して無線信号を検出し、分類するようにシステムが構成される。本システムは、利用可能な無線通信サービスを検出するための手段と、利用可能な無線通信サービスに関係するシステムパラメータをメモリに記憶するための手段と、通信検出および分類装置の近傍内の無線信号を検出するための手段と、ここにおいて、無線信号が、検出された利用可能な無線通信サービスのうちの１つを介して通信される、検出された無線信号を記憶するための手段と、検出された無線信号を分析するための手段と、上記分析に基づいて、検出された無線信号のアクティビティのタイプを分類するための手段とを備える。
【０００７】
[0007]別の例では、本開示では、実行されたとき、１つまたは複数のプロセッサに、利用可能な無線通信サービスを検出することと、利用可能な無線通信サービスに関係するシステムパラメータをメモリに記憶することと、通信検出および分類装置の近傍内の無線信号を検出することと、ここにおいて、無線信号が、検出された利用可能な無線通信サービスのうちの１つを介して通信される、検出された無線信号を記憶することと、検出された無線信号を分析することと、上記分析に基づいて、検出された無線信号のアクティビティのタイプを分類することとを行わせる命令を記憶するコンピュータ可読記憶媒体について説明する。
【０００８】
[0008]１つまたは複数の例の詳細が添付の図面および以下の説明に記載されている。他の特徴、目的、および利点は、その説明および図面、ならびに特許請求の範囲から明らかになろう。
【図面の簡単な説明】
【０００９】
【図１】[0009]本開示の例示的なシステム、デバイス、および方法のための例示的な動作環境を示す概念図。
【図２】[0010]本開示の一例による、例示的な検出および分類ユニットを示すブロック図。
【図３】[0011]本開示の一例による、別の例示的な検出および分類ユニットを示すブロック図。
【図４】[0012]本開示の一例による、例示的な通信サービス検出ユニットならびにアクセスプローブおよびエネルギー検出ユニットを示すブロック図。
【図５】[0013]音声呼の例示的な時間特徴を示す概念図。
【図６】[0014]テキストメッセージの例示的な時間特徴を示す概念図。
【図７】[0015]インターネットブラウジングアクティビティの例示的な時間特徴を示す概念図。
【図８】[0016]本開示の例による方法を示すフローチャート。
【発明を実施するための形態】
【００１０】
[0017]運転中のモバイルフォンおよび他のネットワーク接続デバイスの使用は交通事故における主要な要因として特定されている。このため、ドライバを雇用する会社は、彼らの従業員および資産を保護するためにモバイルフォンの使用を制限することに強い関心をもっている。運転中のモバイルフォンの使用を阻止するための現在の試みは、しばしば、会社所有の電話の支給を伴う。そのような電話は、一般に、車両移動が検出されたときに通信能力（たとえば、テキストサービス、インターネットブラウジングサービス、ヘッドセットなしの通話）を無効にするソフトウェアを含む。しかしながら、ドライバが、そのようなブロッキングソフトウェアを含まない携帯電話を使用する場合、そのような対策は容易に破られる。
【００１１】
[0018]これらの欠点に鑑みて、本開示は、無線通信デバイスの協働を必要としない無線通信デバイス（たとえば、モバイルフォン、ラップトップ、タブレットコンピュータ）の使用を監視し、分類するための装置および技法を提示する。すなわち、本開示の技法は、無線通信デバイスとの直接的な対話（たとえば、モバイルフォン上で動作しているソフトウェアを監視すること）を必要とせず、無線通信デバイスによって送られた特定のメッセージコンテンツを解読または確認することが可能である必要がない。様々な例では、本開示は、デバイスの近傍内の無線信号を検出し、検出された信号を分析し、通信のタイプ（たとえば、音声呼、テキストメッセージ、インターネットブラウジング、バックグラウンド通信など）を分類することができる通信検出および分類デバイスを提案する。通信検出および分類デバイスは、車両内に配置され、および／またはそれと統合され得る。本開示のいくつかの例では、通信および検出分類デバイスは、車両が移動しているときに有効にされる。
【００１２】
[0019]本開示の技法を使用して無線通信が分類されると、通信検出および分類デバイスは、検出され、分類された通信のログを記憶し得るか、または、検出され、分類された通信のメッセージ警告を送り得る。このようにして、車両の所有者は、車両が移動している間の無線通信デバイスの使用について警告され得る。本開示の様々な例示的なシステム、デバイス、方法、および技法について、以下の図を参照しながらより詳細に説明する。
【００１３】
[0020]図１は、本開示の例示的なシステム、デバイス、および方法のための例示的な動作環境を示す概念図である。本開示のシステムおよび技法のための１つの例示的な動作環境は、トラックおよび他の配送車両内で使用するためのものである。たとえば、トラックのドライバから出る無線信号の検出および分類のために、検出および分類ユニット２００がトラック１００内に配置され得る。
【００１４】
[0021]しかしながら、本開示の技法は、トラック運送または配送車両ビジネスにおいて使用するために限定されない。検出および分類ユニット２００は、任意の環境において無線通信デバイスの不要なまたは無許可の使用を検出するために使用され得る。たとえば、検出および分類ユニット２００は、注意散漫なドライバ、オペレータおよび／またはユーザが望ましくない環境において使用され得る。たとえば、検出および分類ユニット２００は、乗用車、車、バン、ボート、重機（クレーン、フォークリフト、ダンプトラック、バックホーまたは他の機械）、列車、飛行機、全地形型車両（ＡＴＶ：all-terrain vehicle）、スノーモービル、ヘリコプター、航空管制塔、作業現場において、あるいは注意散漫検出および防止が望ましい車両または環境において使用され得る。
【００１５】
[0022]図１の例では、検出および分類ユニット２００は、トラック１００内からの通信デバイス１２０から出る無線通信を検出し、分類するために使用される。通信デバイス１２０は、地上ベースのネットワーク１３０と衛星ネットワーク１４０の両方を含む、任意のタイプのエアインターフェースを介して通信することが可能な任意のタイプのデバイスであり得る。例示的なエアインターフェースおよび技術は、アナログセルラーネットワーク、モバイル通信用グローバルシステム（ＧＳＭ（登録商標）：Global System for Mobile Communication）セルラーネットワーク、符号分割多元接続（ＣＤＭＡ：code division multiple access）セルラーネットワーク、広帯域ＣＤＭＡ（Ｗ−ＣＤＭＡ（登録商標）：wideband CDMA）セルラーネットワーク、第３世代（３Ｇ）セルラーネットワーク、第４世代（４Ｇ）セルラーネットワーク、ロングタームエボリューション（ＬＴＥ：long term evolution）セルラーネットワーク、衛星通信技術（たとえば、イリジウム、インマルサットなど）、プッシュツートークネットワーク（たとえば、Ｑｕａｌｃｏｍｍ，Ｉｎｃ．によるＱチャット）、ハム無線、または他のタイプの無線ネットワークを含み得る。
【００１６】
[0023]図１に示されているように、通信デバイス１２０はモバイルフォンである。他の例示的な通信デバイスは、音声のみの電話、いわゆる「スマート」フォン、タブレットコンピュータ、ラップトップコンピュータ、ネットブックコンピュータ、プッシュツートークフォン、短波無線機、または無線信号を介した通信が可能な他のタイプのデバイスを含み得る。そのような通信は、音声呼、テキストメッセージ、ボイスオーバーインターネットプロトコル（ＶＯＩＰ：voice-over-internet protocol）信号、一般的なＩＰ通信（たとえば、インターネットブラウジング）、ネットワークとのバックグラウンドおよび制御通信などを含み得る。
【００１７】
[0024]検出および分類ユニット２００は、通信デバイス１２０からの検出された信号が（トラック内以外のどこか、たとえば、別の近くの車両から出る検出された無線信号とは対照的に）トラック内から来たと決定され得るように、トラック１００中のどこにでも配置され得る。好ましくは、検出および分類ユニット２００はトラック中のドライバのできるだけ近くに取り付けられる。検出および分類ユニット２００は、それ自体の電源を含み、トラック１００との統合を必要としないことがある。他の例では、検出および分類ユニット２００はトラック１００と統合され得る。一例では、検出および分類ユニット２００はトラック１００の電力システムを介して電力供給され得る。別の例では、検出および分類ユニット２００は、他の車両サブシステム（たとえば、位置／ロケーションおよび／または全地球測位システム（ＧＰＳ））を使用するためにトラック１００とさらに統合され得る。
【００１８】
[0025]図２は、本開示の一例による、例示的な検出および分類ユニット２００を示すブロック図である。図２の例では、検出および分類ユニット２００は、通信サービス検出ユニット２１０と、アクセスプローブおよびエネルギー検出ユニット２２０と、時間／スペクトル分析ユニット２３０と、信号分類ユニット２４０と、アンテナ２５０とを含む。
【００１９】
[0026]１つの一般的な例では、通信サービス検出ユニット２１０は、利用可能な無線通信サービスを検出し、利用可能な無線通信サービスに関係するシステムパラメータをメモリに記憶するように構成される。アクセスプローブおよびエネルギー検出ユニット２２０は、検出および分類装置２００の近傍内の無線信号を検出し、検出された無線信号を記憶するように構成され、ここにおいて、無線信号は、検出された利用可能な無線通信サービスのうちの１つを介して通信される。時間分析技法およびスペクトル分析技法うちの１つまたは複数を使用して、検出された無線信号を分析するように構成される時間／スペクトル分析ユニット２３０。信号分類ユニット２４０は、分析ユニット２３０の出力に基づいて、検出された無線信号のアクティビティのタイプ（たとえば、音声呼、テキストメッセージ、インターネットブラウジングなど）を分類するように構成される。アンテナ２５０は、利用可能な無線通信サービスからの信号を受信するために通信サービス検出ユニット２１０によって利用され得る。アンテナ２５０はまた、検出および分類ユニット２００の近くの無線信号を受信するためにアクセスプローブおよびエネルギー検出ユニット２５０によって使用され得る。検出および分類ユニット２００のサブユニットについて、以下でより詳細に説明する。一例では、通信サービス検出ユニット２１０とアクセスプローブおよびエネルギー検出２２０とは、通信デバイス１２０からの無線信号を走査することと検出することの両方を行うように構成された単一の「エネルギー検出ユニット」において組み合わせられ得る。
【００２０】
[0027]上述のように、通信サービス検出ユニット２１０は、概して、利用可能な無線通信サービスを検出し、利用可能な無線通信サービスに関係するシステムパラメータをメモリに記憶するように構成される。本開示の一例では、通信サービス検出ユニット２１０は、アナログセルラーネットワーク、ＧＳＭセルラーネットワーク、ＣＤＭＡセルラーネットワーク、Ｗ−ＣＤＭＡセルラーネットワーク、３Ｇセルラーネットワーク、４Ｇセルラーネットワーク、ＬＴＥセルラーネットワーク、衛星通信ネットワーク、プッシュツートークネットワーク、ハム無線、または他のタイプの無線ネットワークにおけるシステムパラメータを検出し、受信するように構成された受信機を含み得る。特定の例では、通信サービス検出ユニット２１０は、現世代のモバイルフォンにおいて使用されるマルチモード受信機モジュールなど、マルチモード受信機モジュールであり得る。そのようなマルチモード受信機は、所与のエリア（たとえば、北米、欧州など）内の任意の利用可能な消費者セルラーネットワークを介して通信するように構成され得る。
【００２１】
[0028] 通信サービス検出ユニット２１０によって検出されるシステムパラメータは、周波数帯域、周波数チャネル、エアインターフェースプロトコル（たとえば、ＣＤＭＡ、ＧＳＭ、３Ｇ、４Ｇ、ＬＴＥなど）を含み得る。セルラーネットワークを検出したとき、通信サービス検出ユニット２１０はまた、ランダムアクセスチャネル（ＲＡＣＨ：random access channel）と、モビリティ管理と、特定のネットワークのための他のシステム情報ブロック（ＳＩＢ：system information block）とに関係するパラメータを検出し得る。上記のパラメータの一部または全部は将来の使用のためにメモリに記憶され得る。
【００２２】
[0029]次のセクションでは、セルラーネットワークにおけるＲＡＣＨをより詳細に探査する。ＲＡＣＨは、データ送信要求（たとえば、呼要求）またはデータの他のショートパケットを送るために使用され得る、セルラーネットワークのための共通アップリンクチャネルである。ＲＡＣＨパラメータは、基地局によってブロードキャストされ、ランダムアクセスリソースおよび構成設定についてモバイルユニット（たとえば、モバイルフォン）に通知する情報を含む。本質的に、ＲＡＣＨパラメータは、ネットワークをどのように接続すべきかをモバイルフォンに通知する。
【００２３】
[0030]そのようなネットワークに接続することを試みるモバイルフォンは最初にＲＡＣＨ送信を行う。ＲＡＣＨ送信は、一般に、２つの部分、すなわちプリアンブル送信とメッセージ送信とを含む。プリアンブル送信は、複数のアクセススロットのうちの１つに合うように調節され、複数（たとえば、１６個）のアクセスシグネチャのうちの１つを使用する。典型的な例では、プリアンブル送信は、２５６の拡散率（ＳＦ：spreading factor）をもつ４０９６チップ長（約１ｍｓ）のみであり得る。次いで、メッセージ送信が送られる。メッセージ送信は、アップリンクシグナリングまたはアップリンクショートパケットの転送のために使用される。メッセージ送信は、概して、プリアンブル送信よりも長く（約１０〜２０ｍｓ）、可変ＳＦ（３２〜２５６）を有する。利用可能なネットワークのためのＲＡＣＨパラメータを検出し、記憶することによって、アクセスプローブおよびエネルギー検出ユニット２２０は、キャブの近くの通信デバイスから来る対応するＲＡＣＨ送信をより良く走査し、検出することが可能であり得る。アクセスプローブおよびエネルギー検出ユニット２２０の動作について、以下でより詳細に説明する。
【００２４】
[0031]本開示の一例では、検出された利用可能な無線通信サービスのシステムパラメータは、メモリに、たとえば、ルックアップテーブルに記憶される。通信サービス検出ユニット２１０は、周期的にまたは連続的にルックアップテーブルを更新するように構成され得る。すなわち、ルックアップテーブルに記憶されたシステムパラメータは、通信サービス検出ユニット２１０によって現在検出可能である通信サービスのためのパラメータのみに限定され得る。このようにして、アクセスプローブおよびエネルギー検出ユニット２２０は、現在利用可能でない通信サービスのためのアップリンク送信（たとえば、ＲＡＣＨ送信）を検出することを試みる必要がない。本開示の別の例では、検出されたすべてのシステムパラメータは、それらが利用可能であるか否かにかかわらずルックアップテーブル中に残る。システムパラメータの特定のセットのためのエントリは、特定の通信サービスが現在利用可能であるか否かをシステムの他のユニットに通知する利用可能性フラグを含み得る。
【００２５】
[0032]アクセスプローブおよびエネルギー検出ユニット２２０は、通信サービス検出ユニット２１０によって検出された利用可能な通信サービスのシステムパラメータおよび／または指示を利用して、検出および分類装置２００の近傍内の無線信号を検出し、検出された無線信号を記憶する。すなわち、アクセスプローブおよびエネルギー検出ユニットは、利用可能な通信サービス検出ユニットとして示された通信サービスのためのアップリンクチャネルを監視するように構成される。
【００２６】
[0033]セルラーネットワークへのアップリンクを検出することを試みる例では、アクセスプローブおよびエネルギー検出ユニット２２０は、利用可能な通信サービスのための、メモリに記憶されたＲＡＣＨパラメータに従ってＲＡＣＨ送信を監視するように構成され得る。また、周波数帯域と、周波数チャネルと、エアインターフェース技術のタイプとを含む、利用可能な通信サービスのための他のシステムパラメータは、アップリンク送信を検出するために使用され得る。特に、アクセスプローブおよびエネルギー検出ユニット２２０は、利用可能な周波数帯域中で無線信号エネルギーレベルを検出するように構成され得る。エネルギーが検出されると、アクセスプローブおよびエネルギー検出ユニット２２０は、ＲＡＣＨプリアンブル送信を監視するか、または一般にアップリンク送信がセルラーネットワーク上で確立される直前に発生するアクセスプローブ信号を入力する。一例では、アクセスプローブおよび／またはＲＡＣＨ送信の検出は、アクセスプローブおよびエネルギー検出ユニット２２０に、検出されたアクセスプローブに関係する周波数チャネルおよびエアインターフェース技術を介してブロードキャストされた後続の無線信号を受信し、記憶することを開始させ得る。任意のアクセスプローブおよび／またはＲＡＣＨ送信を含む、後続の無線信号の記憶は、高速サンプラーおよび接続されたメモリの使用によって達成され得る。本開示の一例では、アクセスプローブおよびエネルギー検出ユニット２２０は、任意のアップリンク送信の実際のコンテンツを解読するように構成されるのではなく、実際のコンテンツを見分けることを試みることなしに、検出され、受信された信号を記憶するにすぎない。通信サービス検出ユニット２１０およびアクセスプローブおよびエネルギー検出ユニット２２０のための例示的なシステムのより詳細な説明について、図４を参照しながら以下で説明する。
【００２７】
[0034]本開示の別の例では、検出および分類装置２００は、通信サービス検出ユニット２１０なしでの使用のために動作可能であり得る。この例では、アクセスプローブおよびエネルギー検出ユニット２２０は、どんな通信サービスが現在利用可能であるかについての知識なしに１つまたは複数の所定の通信サービスを介して送信された無線信号を監視するように構成され得る。この例では、利用可能な通信サービスのためのシステムパラメータのルックアップテーブルを保持し、更新することが回避され得る。しかしながら、いくつかが利用可能でない場合でも、アクセスプローブおよびエネルギー検出ユニット２２０は、無線通信サービスの所定のセットを介して走査するように構成されるので、送信されたエネルギーの検出はより遅くなり得る。
【００２８】
[0035]いくつかの例では、アクセスプローブおよびエネルギー検出ユニット２２０は、検出された無線信号が車両内から来ているか否か検証するのを助けるためのいくつかの技法のうちの１つを使用するように構成され得る。たとえば、交通状況においては、アクセスプローブおよびエネルギー検出ユニット２２０は、道路の近くの他のドライバまたは他のソースから出る無線信号からのエネルギーを検出することが可能である。信号が車両内から来たかどうかを決定するための１つの技法は単純なエネルギーレベル計算である。ドライバ、およびおそらくアップリンク送信を行うデバイスは、アクセスプローブおよびエネルギー検出ユニット２２０に最も近いので、そのような送信のエネルギーレベルは、より遠くから来る他の送信よりも高い可能性がある。特定の信号がサンプリングされ、記憶されるべきか否かを決定するために、エネルギーレベルしきい値が設定され得る。このしきい値のレベルは、精度（たとえば、車両の外部から来るより少ない記憶された信号）と完全さ（たとえば、車両の内部から来る欠落したより少ない信号との間の所望のレベルのトレードオフを可能にするためにフレキシブルであり得る。
【００２９】
[0036]検出された無線信号の源を決定するための他の技法はドップラー効果を考慮に入れ得る。無線送信の固定のソース、またはアクセスプローブおよびエネルギー検出ユニット２２０が取り付けられた車両とは異なる速度で移動する他のソースは、周波数シフト特性（伸長または圧縮のいずれか）を含む。アクセスプローブおよびエネルギー検出ユニット２２０は、そのような特徴を検出し、そのような信号を無視するように構成され得る。他の例では、時間／スペクトル分析ユニット２３０は、アクセスプローブおよびエネルギー検出ユニット２２０によって信号が記憶された後、そのような特性を検出するように構成され得る。この例では、時間／スペクトル分析ユニット２３０は、ドップラー効果特性に基づいて車両内から出られなかったと決定された記憶された無線信号を廃棄するように構成され得る。
【００３０】
[0037]別の例では、アクセスプローブおよびエネルギー検出ユニット２２０は、無線信号の検出を助けるための学習手法を利用し、更新するように構成され得る。このコンテキストでは、学習手法は、検出された無線信号のポジティブな分類に関する事前情報の使用および更新を伴い得る。たとえば、ほとんどの場合車両内から出る無線信号のポジティブな検出および分類に関連するシステムパラメータは、他の検出された利用可能な通信サービスよりも頻繁にいくつかの周波数帯域およびエアインターフェース技術を監視するために使用され得る。言い換えれば、アクセスプローブおよびエネルギー検出ユニット２２０は、過去に検出され、分類された通信サービスをより頻繁に監視する。
【００３１】
[0038]無線信号が車両内から来たか否かを決定することを助けるための別の技法はマルチパスシグネチャの分析を伴う。マルチパスシグネチャは、マルチパス干渉により信号上に存在する時間特性および／または周波数応答特性を含む。マルチパス干渉は、無線信号が送信機（たとえば、モバイルフォン）と受信機（たとえば、基地局またはアクセスプローブおよびエネルギー検出ユニット２２０）との間の物理的構造に当たって跳ね返るか、またはそれの影響を受けることがあるので生じる。たとえば、トラックのドライバによって使用されるモバイルフォンから出る無線信号は、アンテナ２５０に達する前に、トラックキャブの多くの物理的特徴（ステアリングホイール、座席、天井など）に当たって跳ね返り得る。そのような無線信号のために、特定のマルチパスシグネチャが生成される。無線信号は、しばしば、所与の車両中のほぼ同じ場所（たとえば、ドライバの座席）から出るので、マルチパスシグネチャは、特定の無線信号が車両内から出たか否かを正しく検証する際に有用であり得る。したがって、車両内から来る（または検出および分類ユニット２００の所定の近傍の近くの）ポジティブに検証されたアップリンク送信のためのマルチパスシグネチャは、検出および／または分類プロセスの一部として記憶され、使用され得る。より多くのポジティブな検証が行われるので、そのようなマルチパスシグネチャは連続的に更新され得る。さらに他の例では、検出された無線信号の源を決定するのを助けるために、多種多様なフィルタ処理または他の技法が使用され得る。
【００３２】
[0039]時間／スペクトル分析ユニット２３０は、アクセスプローブおよびエネルギー検出ユニット２２０によって検出され、記憶された無線信号を分析するように構成される。次いで、時間／スペクトル分析モジュール２３０によって出力された分析は、無線信号のアクティビティのタイプ（たとえば、音声呼、テキストメッセージ、インターネットブラウジングアクティビティなど）を分類するために信号分類ユニットによって使用され得る。時間／スペクトル分析ユニット２３０は、時間分析とスペクトル分析とのうちの１つまたは複数を実行するように構成され得る。
【００３３】
[0040]記憶された信号の時間分析から、時間における送信の長さ、および送信の振幅またはエネルギーなど、信号特性が明らかになる。以下の図５〜図７を参照しながらより詳細に説明するように、異なるタイプの送信アクティビティが異なる時間特性を表示し得る。概して、音声呼は、１つまたは複数のアクセスプローブを含み、その後には、異なるエネルギーレベルでの比較的長い送信が続き得、テキストメッセージは、１つまたは複数のアクセスプローブを含み、その後には、短い、均一なエネルギーレベルの送信が続き得、インターネットブラウジングアクティビティは、しばしば非同期間隔における、１つまたは複数の一連の短い長さから中間の長さの、比較的一定のレベルのエネルギー伝送（たとえば、ウェブページをダウンロードし、読むこと）を含み得る。
【００３４】
[0041]時間／スペクトル分析ユニット２３０はまた、受信信号のスペクトル分析を実行するように構成され得る。スペクトル分析は、ある時間期間にわたる信号の周波数応答を示す。異なるタイプの無線送信アクティビティが異なる周波数応答によって特徴づけられ得る。
【００３５】
[0042]たとえば、通信デバイスによって使用される主要なエアインターフェース技術を決定し、および／または検証するために、スペクトル分析が使用され得る。たとえば、ＵＭＴＳに準拠する通信デバイスは、周波数領域中で分析されたとき、すべての周波数チャネルにわたる連続スペクトルのように見える無線信号を送信する。一方、ＬＴＥに準拠する通信デバイスは、周波数領域中で分析されたとき、トーンまたはリソースブロックの独立セットのように見える無線信号を送信する。さらに、ＬＴＥ信号の場合、サービスのタイプ（たとえば、音声呼、テキストメッセージなど）を確認するために、ＬＴＥ送信のスペクトル分析に示されている、割り当てられたリソースブロックの数が使用され得る。
【００３６】
[0043]別の例として、特定の通信デバイスがその上で送信している周波数帯域および／またはチャネル番号を確認するために、スペクトル分析が使用され得る。そのような確認は、アクセスプローブおよびエネルギー検出ユニット２２０が最初におよびより頻繁に監視すべきである周波数帯域および／またはチャネル番号を優先させる際に有用であり得る。
【００３７】
[0044]時間／スペクトル分析ユニット２３０は、分析を実行するように構成された専用ハードウェア（たとえば、デジタル信号プロセッサ）を備え得る。別の例では、時間／スペクトル分析ユニット２３０は、汎用プロセッサ上で実行される命令として実装され得る。
【００３８】
[0045]信号分類ユニット２４０は、時間／スペクトル分析ユニット２３０による分析に基づいて、記憶された無線信号のアクティビティのタイプを分類するように構成される。考えられるアクティビティのタイプは、テキストメッセージと、音声呼と、ユーザ主導型インターネットアクセスと、バックグラウンド通信とのうちの１つまたは複数を含み得る。分類のための例示的な技法について、図５〜図７を参照しながら以下でより詳細に説明する。記録信号が分類されると、信号分類ユニット２４０は、分類されたアクティビティのタイプの時間を示す記録を記憶し得る。そのような記録は、検出および分類ユニット２００によって検出され、分類されたすべてのアクティビティのログを構成し得る。一例では、アクティビティの分類は、（たとえば、ワイヤレスチャネル上で）サードパーティ（たとえば、車両の所有者）に直ちにブロードキャストされ得る。このようにして、潜在的に危険なドライバアクティビティが即座に報告され得る。他の例では、アクティビティのログは、直接要求を介して（たとえば、ワイヤレスに、または直接ダウンロードを介して）検出および分類ユニット２００から取得され得る。
【００３９】
[0046]信号分類ユニット２４０は、分類を実行するように構成された専用ハードウェア（たとえば、デジタル信号プロセッサ）を備え得る。別の例では、信号分類ユニット２４０は、汎用プロセッサ上で実行される命令として実装され得る。
【００４０】
[0047]図３は、本開示の一例による、別の例示的な検出および分類ユニットを示すブロック図である。図３の例では、無線信号の検出および分類を助けるために追加の構造が使用され得る。図３の例では、検出および分類ユニット２００は、位置／ロケーションユニット２６０と、カメラ２７０と、マイクロフォン２８０とをさらに含み得る。
【００４１】
[0048]位置／ロケーションユニット２６０は、検出および分類ユニット２００にそれのロケーションを見分けるその能力を与える任意のデバイスおよび／または命令であり得る。一例では、位置／ロケーションユニット２６０は全地球測位システム（ＧＰＳ）受信機である。位置／ロケーションユニット２６０によって生成されたロケーションおよび時間データは、信号が記録され、次いで、分類された信号のためのログに記憶されたときに含まれ得る。これは、ログの閲覧者に特定のアクティビティの時間およびロケーションを知らせることになる。
【００４２】
[0049]いくつかの例では、位置／ロケーションユニット２６０はまた、アクセスプローブおよびエネルギー検出ユニット２２０をアクティブにするために使用され得る。車両における使用の例では、これは、ドライバの注意散漫が危険であり得る状況であるので、車両が移動している状況でただ無線信号を検出し、分類することが望ましいことがある。位置／ロケーションユニット２６０は位置の変化を検出することが可能であるので、それは移動を検出することも可能である。次いで、アクセスプローブおよびエネルギー検出ユニット２２０は、位置／ロケーションユニットの速度測定値がある所定のしきい値（たとえば、１５ｍｐｈ）を上回るときにアクティブにされるように構成され得る。
【００４３】
[0050]カメラ２７０は、静止ピクチャおよび／またはビデオを記録するように構成され得る。そのようなピクチャおよびビデオは、分類された無線信号の正しい分類を確認する際に有用であり得る。たとえば、記憶された無線信号および／または分類されたアクティビティのログとともにピクチャおよび／またはビデオファイルが記憶され得る。次いで、サードパーティ（たとえば、車両の所有者）は、無線信号が検出され、および／または分類されたとき、ドライバがデバイスを実際に使用していたか否かを検証するために、そのようなピクチャおよびビデオファイルを調査し得る。さらに、ピクチャおよび／またはビデオファイルは、分類を助けるために信号分類ユニット２４０によって直接使用され得る。たとえば、信号分類ユニット２４０は、特定の記憶されたビデオ信号に関係するピクチャまたはビデオに対して画像認識およびオブジェクトトラッキングを実行する（たとえば、人が電話を耳に保持しているときに認識する）ように構成され得る。そのような画像認識およびオブジェクトトラッキングプロセスの結果は、アクティビティの分類を行うか、またはアクティビティが行われなかったかどうかを決定するために、時間および／またはスペクトル分析に加えて使用され得る。いくつかの例では、カメラ２７０は、アクセスプローブおよびエネルギー検出ユニット２２０によるエネルギーの検出によってピクチャを撮ることまたはビデオを記録することを開始するためにアクティブにされ得る。
【００４４】
[0051]マイクロフォン２８０は、独立してまたはカメラ２７０による記録とともに音を記録するように構成され得る。記録された音も、分類された無線信号が正しかったことを確認する際に有用であり得る。たとえば、記憶された無線信号および／または分類されたアクティビティのログとともにサウンドファイルが記憶され得る。次いで、サードパーティ（たとえば、車両の所有者）は、無線信号が検出され、および／または分類されたとき（たとえば、音声呼）、ドライバが実際にデバイスを使用していたか否かを検証するために、そのようなサウンドファイルを調査し得る。さらに、サウンドファイルは、分類を助けるために信号分類ユニット２４０によって直接使用され得る。たとえば、信号分類ユニット２４０は、疑わしい通話時にマイクロフォン２８０によってオーディオが記録されたかどうかを決定することによっても音声呼の分類を検証するように構成され得る。したがって、サウンドファイルは、アクティビティの分類を行うか、またはアクティビティが行われなかったかどうかを決定するために、時間および／またはスペクトル分析に加えてあるいはそれとともに使用され得る。いくつかの例では、マイクロフォン２８０は、アクセスプローブおよびエネルギー検出ユニット２２０によるエネルギーの検出によって音を記録することを開始するためにアクティブにされ得る。
【００４５】
[0052]図４は、本開示の一例による、例示的な通信サービス検出ユニットならびにアクセスプローブおよびエネルギー検出ユニットを示すブロック図である。上記で説明したように、通信サービス検出ユニット２１０は、現在のマルチモードモバイルフォンにおいて通常見つけられるマルチモード受信機など、マルチモード受信機３３０を用いて実装され得る。ＲＡＣＨパラメータおよび他のシステム情報が、受信機フロントエンドを介してマルチモード受信機３３０によって受信され得る。受信機フロントエンドは、アンテナ（たとえば、アンテナ２５０）において受信された無線信号をダウンコンバートするように構成された無線周波数集積回路（ＲＦＩＣ：radio frequency integrated circuit）３９５を含み得る。次いで、ダウンコンバートされたアナログ信号は、アナログデジタル変換器（ＡＤＣ）３９０）によってデジタル信号に変換される。次いで、スイッチ３８０は、デジタル信号を、（たとえば、システムパラメータの通信サービス検出および記憶を実行する際のマルチモード受信機３３０による使用のために）フォンデジタルフロントエンド３６０にルーティングするか、または（たとえば、アクセスプローブおよびエネルギー検出２１０による使用のために）ＲＡＣＨプロセッサ３７０にルーティングされ得る。
【００４６】
[0053]フォンデジタルフロントエンド３６０は、復調された信号を、（たとえば、受信された音声、テキスト、および／またはインターネットデータのために）マルチモード受信機３３０にルーティングするか、または（たとえば、受信された位置／ロケーション信号のために）ＧＰＳエンジン３４０にルーティングするかのいずれかである。フォンデジタルフロントエンド３６０、ＧＰＳエンジン３４０、およびマルチモード受信機３３０の動作モードはブートプロセッサ３５０によって構成され得る。
【００４７】
[0054]マルチモード受信機３３０は、フォンデジタルフロントエンド３６０から（利用可能な通信サービスからのパラメータを備え得る）デジタル信号を受信する。次いで、ＲＡＣＨパラメータ、ＳＩＢ、周波数帯域、周波数チャネル、エアインターフェース技術、または他のパラメータなど、システムパラメータは、（メモリ３１０へのより遅い記憶のために）相互接続ファブリック３２０を通って汎用プロセッサ３００に移されるか、またはモリ３１０に直接記憶される。メモリ３１０は、たとえば、ランダムアクセスメモリ（ＲＡＭ）、スタティックＲＡＭ（ＳＲＡＭ）、ダイナミックＲＡＭ（ＤＲＡＭ）、同期型ダイナミックランダムアクセスメモリ（ＳＤＲＡＭ）、読取り専用メモリ（ＲＯＭ）、消去可能プログラマブルＲＯＭ（ＥＰＲＯＭ）、電気的消去可能プログラマブルＲＯＭ（ＥＥＰＲＯＭ（登録商標））、フラッシュメモリ、磁気データ媒体または光記憶媒体など、１つまたは複数の揮発性または不揮発性メモリあるいは記憶デバイスを含む含む、データを記憶することが可能な任意のタイプのメモリであり得る。
【００４８】
[0055]ＲＡＣＨプロセッサ３７０にルーティングされた信号はアクセスプローブおよびエネルギー検出プロセスの一部として処理される。すなわち、ＲＡＣＨプロセッサは、ＲＦフロントエンド（アンテナ２５０、ＲＦＩＣ３９５、ＡＤＣ３９０）を介して信号を受信し、ＲＡＣＨ送信またはアクセスプローブが受信されたかどうかを決定する。そうである場合、ＲＡＣＨプロセッサ３７０は、その後受信された無線信号をサンプリングし、メモリ３１０に記憶するように構成され得る。
【００４９】
[0056]図５は、音声呼の例示的な時間特徴を示す概念図である。図５に示されている時間特徴は、時間／スペクトル分析ユニット２３０によって実行され得る、時間分析の出力の一例と見なされ得る。検出された無線信号のエネルギーレベルの相対振幅および検出された無線信号の時間的長さが図５に示されている。同じく図５に示されているように、典型的な音声呼が、１つまたは複数の短い、比較的高い振幅のアクセスプローブから始まり得る。アクセスプローブは、概して、１０〜２０ｍｓ持続する、エネルギーの極めて短いバーストである。アクセスプローブの後には、一般に、異なる振幅の信号を含む１つまたは複数の（数秒から数分程度の）比較的長い期間Ｔ１が続く。信号の振幅を変化させることは、たいていの現代のモバイルフォンにおいて典型的な電力制御処理による音声呼の典型的な特徴である。信号分類ユニット２４０は、特定の信号が音声呼であるという決定を行うために、時間分析においてそのような特性を検出するように構成され得る。
【００５０】
[0057]図６は、テキストメッセージの例示的な時間特徴を示す概念図である。図６に示されている時間特徴は、時間／スペクトル分析ユニット２３０によって実行され得る、時間分析の出力の一例と見なされ得る。検出された無線信号のエネルギーレベルの相対振幅および検出された無線信号の時間的長さが図６に示されている。同じく図６に示されているように、典型的なテキストメッセージが、１つまたは複数の短い、比較的高い振幅のアクセスプローブから始まり得る。アクセスプローブの後には、一般に、比較的安定した振幅の無線信号の１つまたは複数の（ミリ秒程度の）より長い期間Ｔ２が続く。そのような信号特性はショートメッセージサービス（ＳＭＳ）テキストメッセージに特有である。ＳＭＳテキストメッセージの時間特性がいくつかの点で音声呼とは異なることに留意されたい。１つには、アクセスプローブ後の無線信号の長さははるかに短く、一般に、あまりに短すぎて音声会話を構成することができない。さらに、テキストメッセージの短い性質により、無線信号は、電力制御処理の必要の低減のために、はるかに一定の振幅を有する。信号分類ユニット２４０は、特定の信号がテキストメッセージであるという決定を行うために、時間分析においてそのような特性を検出するように構成され得る。
【００５１】
[0058]図７は、インターネットブラウジングアクティビティの例示的な時間特徴を示す概念図である。ここでも、図７に示されている時間特徴は、検出された無線信号のエネルギーレベルの相対振幅およびそれの時間的長さが示されているという点で、時間／スペクトル分析ユニット２３０によって実行される時間分析の例示的な出力と見なされ得る。図７に示されているように、典型的なインターネットブラウジングアクティビティが、１つまたは複数の短い、比較的高い振幅のアクセスプローブから始まり得る。アクセスプローブの後には、比較的安定した振幅の無線信号の（ミリ秒から秒程度の）より長い期間Ｔ３が続く。そのような信号特性は、ウェブページをダウンロードすることなど、インターネットアクティビティに特有であり得る。時間Ｔ３における信号パターンと同様の追加のシーケンスが続くことも続かないこともある。図７の例では、非アクティビティの長さＴ４（たとえば、ユーザがウェブページを読んでいた時間期間）とともに、追加のシーケンスＴ５がＴ３に続く。特に、インターネットブラウジングアクティビティは、非同期アクティビティおよび非アクティビティのそのようなシーケンスによって特徴づけられ得る。
【００５２】
[0059]このため、いくつかの事例では、アクティビティがインターネットブラウジングまたは非ユーザ主導型バックグラウンド通信（たとえば、ユーザによる入力またはアクティビティなしにデバイスによって実行される通信）であるか否かをより良く検証するために、記録信号のいくつかの事例を互いに分析することが好ましいことがある。バックグラウンド通信は、一定の時間間隔でのアップリンク送信によって特徴づけられ得るが、ユーザ主導型インターネットブラウジングはより非同期であり得る。
【００５３】
[0060]また、テキストメッセージの時間特性と同様であるが、ブラウジングアクティビティの時間特性は、概して、わずかに長いアップリンク送信を示す。信号分類ユニット２４０は、特定の信号（または複数の信号）がインターネットブラウジングアクティビティであるという決定を行うために、時間分析において上記で説明した特性を検出するように構成され得る。
【００５４】
[0061]図８は、本開示の一例によるｎ方法を示すフローチャートである。一例では、図８の方法は、図２または図３の検出および分類ユニット２００によって実行され得る。図８の１つまたは複数の例では、通信検出および分類装置２００は車両（たとえば、図１のトラック１００）上にまたは車両内に位置する。
【００５５】
[0062]図８の方法では、通信サービス検出ユニット２１０は、利用可能な無線通信サービスを検出し（８００）、利用可能な無線通信サービスに関係するシステムパラメータをメモリに記憶する（８１０）ように構成され得る。本開示の一例では、利用可能な無線通信サービスに関係するシステムパラメータは、周波数帯域と、周波数チャネルと、エアインターフェースプロトコルと、ランダムアクセスチャネルパラメータとのうちの１つまたは複数を備える。
【００５６】
[0063]本開示の一例では、通信サービス検出ユニット２１０は、利用可能な無線通信サービスを周期的に検出し、メモリに記憶されたシステムパラメータを更新するように構成され得る。本開示の別の例では、通信サービス検出ユニット２１０は、利用可能な無線通信サービスを継続的に検出し、メモリに記憶されたシステムパラメータを更新するように構成され得る。
【００５７】
[0064]アクセスプローブおよびエネルギー検出ユニット２２０は、通信検出および分類装置２００の近傍内の無線信号を検出する（８２０）ように構成され得る。検出された無線信号は、検出された利用可能な無線通信サービスのうちの１つを介して通信され得る。本開示の一例では、アクセスプローブおよびエネルギー検出ユニット２２０は、メモリに記憶された利用可能な無線通信サービスに関係するシステムパラメータを使用して無線信号を検出するように構成される。アクセスプローブおよびエネルギー検出ユニット２２０は、検出された無線信号を記憶する（８３０）ようにさらに構成され得る。本開示のいくつかの例では、アクセスプローブおよびエネルギー検出ユニットは制御トリガに基づいてアクティブにされる。たとえば、コントローラトリガは、（たとえば、位置／ロケーションデバイスによって示されるように）通信検出および分類装置２００が取り付けられた車両が移動しているという指示であり得る。
【００５８】
[0065]時間／スペクトル分析ユニット２３０は、検出された無線信号を分析する（８４０）ように構成される。時間／スペクトル分析ユニット２３０は、時間分析とスペクトル分析とのうちの１つまたは複数を実行するように構成され得る。信号分類ユニット２４０は、時間／スペクトル分析ユニット２３０の出力に基づいて、検出された無線信号のアクティビティのタイプを分類する（８５０）ように構成される。アクティビティのタイプは、テキストメッセージと、音声呼と、ユーザ主導型インターネットアクセスと、バックグラウンド通信とのうちの１つまたは複数を含み得る。本開示の一例では、信号分類ユニット２４０は、分類されたアクティビティのタイプの時間を示す記録を記憶するようにさらに構成され得る。
【００５９】
[0066]本開示の他の例では、通信検出および分類装置２００は、ピクチャおよびビデオのうちの１つまたは複数を記録するように構成されたカメラ、音を記録するように構成されたマイクロフォンのうちの１つまたは複数をさらに含み得る。この例では、信号分類ユニット２４０は、分析ユニットの出力と、記録されたピクチャ、ビデオおよび音のうちの１つまたは複数とに基づいて、検出された無線信号のアクティビティのタイプを分類するようにさらに構成される。一例では、カメラは、アクセスプローブおよびエネルギー検出ユニット２２０が無線信号を検出したことに応答してアクティブにされる。別の例では、マイクロフォンは、アクセスプローブおよびエネルギー検出ユニット２２０が無線信号を検出したことに応答してアクティブにされる。
【００６０】
[0067]本開示の別の例では、通信検出および分類装置２００は、通信検出および分類装置の位置を決定するように構成された位置／ロケーションユニットをさらに含み得る。この例では、アクセスプローブおよびエネルギー検出ユニット２２０は、通信検出および分類装置２００が移動していることを位置／ロケーションユニットが示す（したがって車両が移動していることを示す）場合に動作可能である。
【００６１】
[0068]１つまたは複数の例では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータデータ記憶媒体または通信媒体を含み得る。データ記憶媒体は、本開示で説明した技法の実装ための命令、コードおよび／またはデータ構造を取り出すために１つまたは複数のコンピュータあるいは１つまたは複数のプロセッサによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００６２】
[0069]コードは、１つまたは複数のデジタル信号プロセッサ（ＤＳＰ）などの１つまたは複数のプロセッサ、汎用マイクロプロセッサ、特定用途向け集積回路（ＡＳＩＣ）、フィールドプログラマブル論理アレイ（ＦＰＧＡ）、あるいは他の等価な集積回路またはディスクリート論理回路によって実行され得る。したがって、本明細書で使用する「プロセッサ」という用語は、前述の構造、または本明細書で説明した技法の実装に好適な他の構造のいずれかを指すことがある。さらに、いくつかの態様では、本明細書で説明した機能は、符号化および復号のために構成された専用のハードウェアおよび／またはソフトウェアモジュール内に与えられるか、あるいは複合コーデックに組み込まれ得る。また、本技法は、１つまたは複数の回路または論理要素中に十分に実装され得る。
【００６３】
[0070]本開示の技法は、ワイヤレスハンドセット、集積回路（ＩＣ）、またはＩＣのセット（たとえば、チップセット）を含む、多種多様なデバイスまたは装置において実装され得る。本開示では、開示する技法を実行するように構成されたデバイスの機能的態様を強調するために様々な構成要素、モジュール、またはユニットについて説明したが、それらの構成要素、モジュール、またはユニットを、必ずしも異なるハードウェアユニットによって実現する必要があるとは限らない。むしろ、上記で説明したように、様々なユニットが、好適なソフトウェアおよび／またはファームウェアとともに、上記で説明した１つまたは複数のプロセッサを含めて、コーデックハードウェアユニットにおいて組み合わせられるか、または相互動作ハードウェアユニットの集合によって与えられ得る。
【００６４】
[0071]様々な例について説明した。これらおよび他の例は以下の特許請求の範囲内に入る。
【図１】
2016517207.tif 000003
【図２】
2016517207.tif 000004
【図３】
2016517207.tif 000005
【図４】
2016517207.tif 000006
【図５】
2016517207.tif 000007
【図６】
2016517207.tif 000008
【図７】
2016517207.tif 000009
【図８】
2016517207.tif 000010
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
無線信号を検出し、分類するように構成されたシステムであって、前記システムが、
無線信号を検出し、分類するように構成された通信検出および分類装置を備え、前記通信検出および分類装置が、
現在利用可能な無線通信サービスを検出し、現在利用可能な前記無線通信サービスに関係するシステムパラメータをメモリに記憶するように構成された通信サービス検出ユニットと、
前記メモリに記憶された現在利用可能な前記無線通信サービスに関係する前記システムパラメータを使用して、前記通信検出および分類装置の近傍内の無線通信デバイスからの無線信号を検出するように構成され、前記検出された無線信号を記憶するように構成されたエネルギー検出ユニットと、
前記検出された無線信号を分析するように構成された分析ユニットと、
前記分析ユニットの出力に基づいて前記検出された無線信号によって表されるアクティビティを１つまたは複数の分類に分類するように構成された分類ユニットと
を備える、システム。
【請求項２】
前記通信サービス検出ユニットが、複数の前記無線通信サービスを介して通信するように構成されたマルチモードトランシーバを含み、ここにおいて、現在利用可能な前記無線通信サービスに関係する前記システムパラメータが、周波数帯域と、周波数チャネルと、エアインターフェースプロトコルと、ランダムアクセスチャネルパラメータとのうちの１つまたは複数を備える、請求項１に記載のシステム。
【請求項３】
前記マルチモードトランシーバが、現在利用可能な無線通信サービスを周期的に検出し、前記メモリに記憶された前記システムパラメータを更新するように構成された、請求項２に記載のシステム。
【請求項４】
前記マルチモードトランシーバが、現在利用可能な無線通信サービスを継続的に検出し、前記メモリに記憶された前記システムパラメータを更新するように構成された、請求項２に記載のシステム。
【請求項５】
エネルギー検出ユニットが制御トリガに基づいてアクティブにされる、請求項２に記載のシステム。
【請求項６】
前記分析ユニットが、時間分析とスペクトル分析とのうちの１つまたは複数を実行するようにさらに構成された、請求項１に記載のシステム。
【請求項７】
前記アクティビティのうちの前記１つまたは複数の分類が、テキストメッセージ、音声呼、ユーザ主導型インターネットアクセス、またはバックグラウンド通信のうちの１つまたは複数を含む、請求項１に記載のシステム。
【請求項８】
前記分類ユニットが、前記分類されたアクティビティの時間を示す記録を記憶するようにさらに構成された、請求項１に記載のシステム。
【請求項９】
ピクチャとビデオとのうちの１つまたは複数を記録するように構成されたカメラと、
音を記録するように構成されたマイクロフォンとのうちの少なくとも１つをさらに備え、
ここにおいて、前記分類ユニットが、前記分析ユニットの前記出力と、前記記録されたピクチャ、ビデオまたは音のうちの１つまたは複数とに基づいて、前記検出された無線信号によって表される前記アクティビティを１つまたは複数の分類に分類するようにさらに構成された、請求項１に記載のシステム。
【請求項１０】
前記通信検出および分類装置は、前記エネルギー検出ユニットが前記無線信号を検出したことに応答して、前記カメラをアクティブにするように構成される、請求項９に記載のシステム。
【請求項１１】
前記通信検出および分類装置は、前記エネルギー検出ユニットが前記無線信号を検出したことに応答して、前記マイクロフォンをアクティブにするように構成される、請求項９に記載のシステム。
【請求項１２】
前記通信検出および分類装置の位置を決定するように構成された位置／ロケーションユニットをさらに備える、請求項１に記載のシステム。
【請求項１３】
前記エネルギー検出ユニットは、前記通信検出および分類装置が移動していることを前記位置／ロケーションユニットが示す場合に動作可能である、請求項１２に記載のシステム。
【請求項１４】
車両をさらに備え、ここにおいて、前記通信検出および分類装置が車両上にまたは車両内に位置する、請求項１に記載のシステム。
【請求項１５】
通信検出および分類装置を使用して無線信号を検出し、分類する方法であって、前記方法が、
現在利用可能な無線通信サービスを検出することと、
現在利用可能な前記無線通信サービスに関係するシステムパラメータをメモリに記憶することと、
前記メモリに記憶された現在利用可能な前記無線通信サービスに関係する前記システムパラメータを使用して、前記通信検出および分類装置の近傍内の無線通信デバイスからの無線信号を検出することと、
前記検出された無線信号を記憶することと、
前記検出された無線信号を分析することと、
前記分析に基づいて前記検出された無線信号によって表されるアクティビティを１つまたは複数の分類に分類することと
を備える、方法。
【請求項１６】
現在利用可能な無線通信サービスを検出することが、複数の前記無線通信サービスを介して現在利用可能な無線通信サービスを検出することを備え、
ここにおいて、現在利用可能な前記無線通信サービスに関係する前記システムパラメータが、周波数帯域と、周波数チャネルと、エアインターフェースプロトコルと、ランダムアクセスチャネルパラメータとのうちの１つまたは複数を備える、請求項１５に記載の方法。
【請求項１７】
現在利用可能な無線通信サービスを周期的に検出することと、
前記メモリに記憶された前記システムパラメータを更新することとをさらに備える、請求項１６に記載の方法。
【請求項１８】
現在利用可能な無線通信サービスを継続的に検出することと、
前記メモリに記憶された前記システムパラメータを更新することとをさらに備える、請求項１６に記載の方法。
【請求項１９】
前記通信検出および分類装置の前記近傍内の前記無線通信デバイスからの前記無線信号を検出することが、制御トリガに基づいてアクティブにされる、請求項１６に記載の方法。
【請求項２０】
前記検出された無線信号を分析することが、時間分析とスペクトル分析とのうちの１つまたは複数を実行することを備える、請求項１５に記載の方法。
【請求項２１】
前記アクティビティのうちの前記１つまたは複数の分類が、テキストメッセージ、音声呼、ユーザ主導型インターネットアクセス、またはバックグラウンド通信のうちの１つまたは複数を含む、請求項１５に記載の方法。
【請求項２２】
前記分類されたアクティビティの時間を示す記録を記憶することをさらに備える、請求項１５に記載の方法。
【請求項２３】
前記分析と、記録されたピクチャ、ビデオまたは音のうちの１つまたは複数とに基づいて、前記検出された無線信号によって表される前記アクティビティを１つまたは複数の分類に分類することをさらに備える、請求項１５に記載の方法。
【請求項２４】
前記無線信号を検出したことに応答してカメラをアクティブにすることをさらに備える、請求項２３に記載の方法。
【請求項２５】
前記無線信号を検出したことに応答してマイクロフォンをアクティブにすることをさらに備える、請求項２３に記載の方法。
【請求項２６】
前記通信検出および分類装置の位置を決定することをさらに備える、請求項１５に記載の方法。
【請求項２７】
前記通信検出および分類装置が移動していると決定することをさらに備え、
ここにおいて、前記通信検出および分類装置の近傍内の前記無線通信デバイスからの無線信号を検出することは、前記通信検出および分類装置が移動していると決定された場合に前記通信検出および分類装置の近傍内の前記無線通信デバイスからの無線信号を検出することを備える、請求項２６に記載の方法。
【請求項２８】
前記通信検出および分類装置が車両上にまたは車両内に位置する、請求項１５に記載の方法。
【請求項２９】
無線信号を検出し、分類するように構成されたシステムであって、前記システムが、
現在利用可能な無線通信サービスを検出するための手段と、
現在利用可能な前記無線通信サービスに関係するシステムパラメータをメモリに記憶するための手段と、
前記メモリに記憶された現在利用可能な前記無線通信サービスに関係する前記システムパラメータを使用して、前記通信検出および分類装置の近傍内の無線通信デバイスからの無線信号を検出するための手段と、
前記検出された無線信号を記憶するための手段と、
前記検出された無線信号を分析するための手段と、
前記分析に基づいて前記検出された無線信号によって表されるアクティビティを１つまたは複数の分類に分類するための手段と
を備える、システム。
【請求項３０】
１つまたは複数のプロセッサによって実行されたとき、無線信号を検出し、分類するように構成されたシステムの前記１つまたは複数のプロセッサに、
現在利用可能な無線通信サービスを検出することと、
現在利用可能な前記無線通信サービスに関係するシステムパラメータをメモリに記憶することと、
前記メモリに記憶された現在利用可能な前記無線通信サービスに関係する前記システムパラメータを使用して、前記通信検出および分類装置の近傍内の無線通信デバイスからの無線信号を検出することと、
前記検出された無線信号を記憶することと、
前記検出された無線信号を分析することと、
前記分析に基づいて前記検出された無線信号によって表されるアクティビティを１つまたは複数の分類に分類することと
を行わせる命令を記憶するコンピュータ可読記憶媒体。
【請求項３１】
無線信号を検出し、分類するように構成された通信検出および分類装置であって、前記通信検出および分類装置が、
現在利用可能な無線通信サービスを検出し、現在利用可能な前記無線通信サービスに関係するシステムパラメータをメモリに記憶するように構成された通信サービス検出ユニットと、
前記メモリに記憶された現在利用可能な前記無線通信サービスに関係する前記システムパラメータを使用して、前記通信検出および分類装置の近傍内の無線通信デバイスからの無線信号を検出するように構成され、前記検出された無線信号を記憶するように構成されたエネルギー検出ユニットと、
前記検出された無線信号を分析するように構成された分析ユニットと、
前記分析ユニットの出力に基づいて前記検出された無線信号によって表されるアクティビティを１つまたは複数の分類に分類するように構成された分類ユニットと
を備える、通信検出および分類装置。
【請求項３２】
前記通信サービス検出ユニットが、複数の前記無線通信サービスを介して通信するように構成されたマルチモードトランシーバを含み、ここにおいて、現在利用可能な前記無線通信サービスに関係する前記システムパラメータが、周波数帯域と、周波数チャネルと、エアインターフェースプロトコルと、ランダムアクセスチャネルパラメータとのうちの１つまたは複数を備える、請求項３１に記載の通信検出および分類装置。
【請求項３３】
前記マルチモードトランシーバが、現在利用可能な無線通信サービスを周期的に検出し、前記メモリに記憶された前記システムパラメータを更新するように構成された、請求項３２に記載の通信検出および分類装置。
【請求項３４】
前記マルチモードトランシーバが、現在利用可能な無線通信サービスを継続的に検出し、前記メモリに記憶された前記システムパラメータを更新するように構成された、請求項３２に記載の通信検出および分類装置。
【請求項３５】
前記通信検出および分類装置は、制御トリガに基づいて前記エネルギー検出ユニットをアクティブにするように構成される、請求項３２に記載の通信検出および分類装置。
【請求項３６】
前記分析ユニットが、時間分析とスペクトル分析とのうちの１つまたは複数を実行するようにさらに構成された、請求項３１に記載の通信検出および分類装置。
【請求項３７】
前記アクティビティのうちの前記１つまたは複数の分類が、テキストメッセージ、音声呼、ユーザ主導型インターネットアクセス、またはバックグラウンド通信のうちの１つまたは複数を含む、請求項３１に記載の通信検出および分類装置。
【請求項３８】
前記分類ユニットが、前記分類されたアクティビティの時間を示す記録を記憶するようにさらに構成された、請求項３１に記載の通信検出および分類装置。
【請求項３９】
ピクチャとビデオとのうちの１つまたは複数を記録するように構成されたカメラと、
音を記録するように構成されたマイクロフォンとのうちの少なくとも１つをさらに備え、
ここにおいて、前記分類ユニットが、前記分析ユニットの前記出力と、前記記録されたピクチャ、ビデオまたは音のうちの１つまたは複数とに基づいて、前記検出された無線信号によって表される前記アクティビティを１つまたは複数の分類に分類するようにさらに構成された、請求項３１に記載の通信検出および分類装置。
【請求項４０】
前記通信検出および分類装置は、前記エネルギー検出ユニットが前記無線信号を検出したことに応答して、前記カメラをアクティブにするように構成される、請求項３９に記載の通信検出および分類装置。
【請求項４１】
前記通信検出および分類装置は、前記エネルギー検出ユニットが前記無線信号を検出したことに応答して、前記マイクロフォンをアクティブにするように構成される、請求項３９に記載の通信検出および分類装置。
【請求項４２】
前記通信検出および分類装置の位置を決定するように構成された位置／ロケーションユニットをさらに備える、請求項３１に記載の通信検出および分類装置。
【請求項４３】
前記エネルギー検出ユニットは、前記通信検出および分類装置が移動していることを前記位置／ロケーションユニットが示す場合に動作可能である、請求項４２に記載の通信検出および分類装置。
【手続補正２】
【補正対象書類名】明細書
【補正対象項目名】００６４
【補正方法】変更
【補正の内容】
【００６４】
[0071]様々な例について説明した。これらおよび他の例は以下の特許請求の範囲内に入る。
以下に本願出願当初の特許請求の範囲を付記する。
[Ｃ１]  無線信号を検出し、分類するように構成された通信検出および分類装置を含むシステムであって、前記システムが、
前記通信検出および分類装置の近傍内の無線信号を検出し、前記検出された無線信号を記憶するように構成されたアクセスプローブおよびエネルギー検出ユニットと、
前記検出された無線信号を分析するように構成された分析ユニットと、
前記分析ユニットの出力に基づいて前記検出された無線信号のアクティビティのタイプを分類するように構成された分類ユニットとを備える、システム。
[Ｃ２]  利用可能な無線通信サービスを検出し、前記利用可能な無線通信サービスに関係するシステムパラメータをメモリに記憶するように構成された通信サービス検出ユニットをさらに備え、
ここにおいて、前記検出された無線信号が、前記検出された利用可能な無線通信サービスを介して通信される、Ｃ１に記載のシステム。
[Ｃ３]  前記通信サービス検出ユニットが、複数の通信サービスを介して通信するように構成されたマルチモードトランシーバを含み、ここにおいて、前記利用可能な無線通信サービスに関係する前記システムパラメータが、周波数帯域と、周波数チャネルと、エアインターフェースプロトコルと、ランダムアクセスチャネルパラメータとのうちの１つまたは複数を備える、Ｃ２に記載のシステム。
[Ｃ４]  前記マルチモードトランシーバが、利用可能な無線通信サービスを周期的に検出し、前記メモリに記憶された前記システムパラメータを更新するように構成された、Ｃ３に記載のシステム。
[Ｃ５]  前記マルチモードトランシーバが、利用可能な無線通信サービスを継続的に検出し、前記メモリに記憶された前記システムパラメータを更新するように構成された、Ｃ３に記載のシステム。
[Ｃ６]  前記アクセスプローブおよびエネルギー検出ユニットが、前記メモリに記憶された前記利用可能な無線通信サービスに関係する前記システムパラメータを使用して前記無線信号を検出するように構成された、Ｃ３に記載のシステム。
[Ｃ７]  前記アクセスプローブおよびエネルギー検出ユニットが制御トリガに基づいてアクティブにされる、Ｃ３に記載のシステム。
[Ｃ８]  前記分析ユニットが、時間分析とスペクトル分析とのうちの１つまたは複数を実行するようにさらに構成された、Ｃ１に記載のシステム。
[Ｃ９]  前記アクティビティのタイプが、テキストメッセージと、音声呼と、ユーザ主導型インターネットアクセスと、バックグラウンド通信とのうちの１つまたは複数を含む、Ｃ１に記載のシステム。
[Ｃ１０]  前記分類ユニットが、前記分類されたアクティビティのタイプの時間を示す記録を記憶するようにさらに構成された、Ｃ１に記載のシステム。
[Ｃ１１]  ピクチャとビデオとのうちの１つまたは複数を記録するように構成されたカメラと、
音を記録するように構成されたマイクロフォンとのうちの少なくとも１つをさらに備え、
ここにおいて、前記分類ユニットが、前記分析ユニットの前記出力と、前記記録されたピクチャ、ビデオおよび音のうちの１つまたは複数とに基づいて、前記検出された無線信号の前記アクティビティのタイプを分類するようにさらに構成された、Ｃ１に記載のシステム。
[Ｃ１２]  前記カメラは、前記アクセスプローブおよびエネルギー検出ユニットが無線信号を検出したことに応答してアクティブにされる、Ｃ１１に記載のシステム。
[Ｃ１３]  前記マイクロフォンは、前記アクセスプローブおよびエネルギー検出ユニットが無線信号を検出したことに応答してアクティブにされる、Ｃ１１に記載のシステム。
[Ｃ１４]  前記通信検出および分類装置の位置を決定するように構成された位置／ロケーションユニットをさらに備える、Ｃ１に記載のシステム。
[Ｃ１５]  前記アクセスプローブおよびエネルギー検出ユニットは、前記通信検出および分類装置が移動していることを前記位置／ロケーションユニットが示す場合に動作可能である、Ｃ１４に記載のシステム。
[Ｃ１６]  車両をさらに備え、ここにおいて、前記通信検出および分類装置が車両上にまたは車両内に位置する、Ｃ１に記載のシステム。
[Ｃ１７]  通信検出および分類装置を使用して無線信号を検出し、分類する方法であって、前記方法が、
前記通信検出および分類装置の近傍内の無線信号を検出することと、
前記検出された無線信号を記憶することと、
前記検出された無線信号を分析することと、
前記分析に基づいて前記検出された無線信号のアクティビティのタイプを分類することとを備える、方法。
[Ｃ１８]  利用可能な無線通信サービスを検出することと、
前記利用可能な無線通信サービスに関係するシステムパラメータをメモリに記憶することとをさらに備え、
ここにおいて、前記検出された無線信号が、前記検出された利用可能な無線通信サービスのうちの１つを介して通信される、Ｃ１７に記載の方法。
[Ｃ１９]  利用可能な無線通信サービスを検出することが、複数の通信サービスを介して利用可能な無線通信サービスを検出することを備え、
ここにおいて、前記利用可能な無線通信サービスに関係する前記システムパラメータが、周波数帯域と、周波数チャネルと、エアインターフェースプロトコルと、ランダムアクセスチャネルパラメータとのうちの１つまたは複数を備える、Ｃ１８に記載の方法。
[Ｃ２０]  利用可能な無線通信サービスを周期的に検出することと、
前記メモリに記憶された前記システムパラメータを更新することとをさらに備える、Ｃ１９に記載の方法。
[Ｃ２１]  利用可能な無線通信サービスを継続的に検出することと、
前記メモリに記憶された前記システムパラメータを更新することとをさらに備える、Ｃ１９に記載の方法。
[Ｃ２２]  前記通信検出および分類装置の前記近傍内の前記無線信号を検出することが、前記メモリに記憶された前記利用可能な無線通信サービスに関係する前記システムパラメータを使用して前記無線信号を検出することを備える、Ｃ１９に記載の方法。
[Ｃ２３]  前記通信検出および分類装置の前記近傍内の前記無線信号を検出することが、制御トリガに基づいてアクティブにされる、Ｃ１９に記載の方法。
[Ｃ２４]  前記検出された無線信号を分析することが、時間分析とスペクトル分析とのうちの１つまたは複数を実行することを備える、Ｃ１７に記載の方法。
[Ｃ２５]  前記アクティビティのタイプが、テキストメッセージと、音声呼と、ユーザ主導型インターネットアクセスと、バックグラウンド通信とのうちの１つまたは複数を含む、Ｃ１７に記載の方法。
[Ｃ２６]  前記分類されたアクティビティのタイプの時間を示す記録を記憶することをさらに備える、Ｃ１７に記載の方法。
[Ｃ２７]  前記分析と、記録されたピクチャ、ビデオおよび音のうちの１つまたは複数とに基づいて、前記検出された無線信号の前記アクティビティのタイプを分類することをさらに備える、Ｃ１７に記載の方法。
[Ｃ２８]  無線信号を検出したことに応答してカメラをアクティブにすることをさらに備える、Ｃ２７に記載の方法。
[Ｃ２９]  無線信号を検出したことに応答してマイクロフォンをアクティブにすることをさらに備える、Ｃ２７に記載の方法。
[Ｃ３０]  前記通信検出および分類装置の位置を決定することをさらに備える、Ｃ１７に記載の方法。
[Ｃ３１]  前記通信検出および分類装置が移動していると決定することをさらに備え、
ここにおいて、前記通信検出および分類装置の近傍内の無線信号を検出することは、前記通信検出および分類装置が移動していると決定された場合に前記通信検出および分類装置の近傍内の無線信号を検出することを備える、Ｃ３０に記載の方法。
[Ｃ３２]  前記通信検出および分類装置が車両上にまたは車両内に位置する、Ｃ１７に記載の方法。
[Ｃ３３]  通信検出および分類装置を使用して無線信号を検出し、分類するように構成されたシステムであって、前記システムが、
前記通信検出および分類装置の近傍内の無線信号を検出するための手段と、
前記検出された無線信号を記憶するための手段と、
前記検出された無線信号を分析するための手段と、
前記分析に基づいて前記検出された無線信号のアクティビティのタイプを分類するための手段とを備える、システム。
[Ｃ３４]  利用可能な無線通信サービスを検出するための手段と、
前記利用可能な無線通信サービスに関係するシステムパラメータをメモリに記憶するための手段と、ここにおいて、前記検出された無線信号が、前記検出された利用可能な無線通信サービスのうちの１つを介して通信される、をさらに備える、Ｃ３３に記載のシステム。
[Ｃ３５]  実行されたとき、無線信号を検出し、分類するように構成されたシステムの１つまたは複数のプロセッサに、
前記通信検出および分類装置の近傍内の無線信号を検出することと、
前記検出された無線信号を記憶することと、
前記検出された無線信号を分析することと、
前記分析に基づいて前記検出された無線信号のアクティビティのタイプを分類することとを行わせる命令を記憶するコンピュータ可読記憶媒体。
[Ｃ３６]  前記１つまたは複数のプロセッサに、
利用可能な無線通信サービスを検出することと、
前記利用可能な無線通信サービスに関係するシステムパラメータをメモリに記憶することとをさらに行わせ、
ここにおいて、前記検出された無線信号が、前記検出された利用可能な無線通信サービスのうちの１つを介して通信される、Ｃ３５に記載のコンピュータ可読記憶媒体。
[Ｃ３７]  無線信号を検出し、分類するように構成された通信検出および分類装置であって、前記通信検出および分類装置が、
前記通信検出および分類装置の近傍内の無線信号を検出し、前記検出された無線信号を記憶するように構成されたアクセスプローブおよびエネルギー検出ユニットと、
前記検出された無線信号を分析するように構成された分析ユニットと、
前記分析ユニットの出力に基づいて前記検出された無線信号のアクティビティのタイプを分類するように構成された分類ユニットとを備える、通信検出および分類装置。
[Ｃ３８]  利用可能な無線通信サービスを検出し、前記利用可能な無線通信サービスに関係するシステムパラメータをメモリに記憶するように構成された通信サービス検出ユニットをさらに備え、
ここにおいて、前記検出された無線信号が、前記検出された利用可能な無線通信サービスのうちの１つを介して通信される、Ｃ３７に記載の通信および検出装置。
[Ｃ３９]  前記通信サービス検出ユニットが、複数の通信サービスを介して通信するように構成されたマルチモードトランシーバを含み、ここにおいて、前記利用可能な無線通信サービスに関係する前記システムパラメータが、周波数帯域と、周波数チャネルと、エアインターフェースプロトコルと、ランダムアクセスチャネルパラメータとのうちの１つまたは複数を備える、Ｃ３８に記載の通信検出および分類装置。
[Ｃ４０]  前記マルチモードトランシーバが、利用可能な無線通信サービスを周期的に検出し、前記メモリに記憶された前記システムパラメータを更新するように構成された、Ｃ３９に記載の通信検出および分類装置。
[Ｃ４１]  前記マルチモードトランシーバが、利用可能な無線通信サービスを継続的に検出し、前記メモリに記憶された前記システムパラメータを更新するように構成された、Ｃ３９に記載の通信検出および分類装置。
[Ｃ４２]  前記アクセスプローブおよびエネルギー検出ユニットが、前記メモリに記憶された前記利用可能な無線通信サービスに関係する前記システムパラメータを使用して前記無線信号を検出するように構成された、Ｃ３９に記載の通信検出および分類装置。
[Ｃ４３]  前記アクセスプローブおよびエネルギー検出ユニットが制御トリガに基づいてアクティブにされる、Ｃ３９に記載の通信検出および分類装置。
[Ｃ４４]  前記分析ユニットが、時間分析とスペクトル分析とのうちの１つまたは複数を実行するようにさらに構成された、Ｃ３７に記載の通信検出および分類装置。
[Ｃ４５]  前記アクティビティのタイプが、テキストメッセージと、音声呼と、ユーザ主導型インターネットアクセスと、バックグラウンド通信とのうちの１つまたは複数を含む、Ｃ３７に記載の通信検出および分類装置。
[Ｃ４６]  前記分類ユニットが、前記分類されたアクティビティのタイプの時間を示す記録を記憶するようにさらに構成された、Ｃ３７に記載の通信検出および分類装置。
[Ｃ４７]  ピクチャとビデオとのうちの１つまたは複数を記録するように構成されたカメラと、
音を記録するように構成されたマイクロフォンとのうちの少なくとも１つをさらに備え、
ここにおいて、前記分類ユニットが、前記分析ユニットの前記出力と、前記記録されたピクチャ、ビデオおよび音のうちの１つまたは複数とに基づいて、前記検出された無線信号の前記アクティビティのタイプを分類するようにさらに構成された、Ｃ３７に記載の通信検出および分類装置。
[Ｃ４８]  前記カメラは、前記アクセスプローブおよびエネルギー検出ユニットが無線信号を検出したことに応答してアクティブにされる、Ｃ４７に記載の通信検出および分類装置。
[Ｃ４９]  前記マイクロフォンは、前記アクセスプローブおよびエネルギー検出ユニットが無線信号を検出したことに応答してアクティブにされる、Ｃ４７に記載の通信検出および分類装置。
[Ｃ５０]  前記通信検出および分類装置の位置を決定するように構成された位置／ロケーションユニットをさらに備える、Ｃ３７に記載の通信検出および分類装置。
[Ｃ５１]  前記アクセスプローブおよびエネルギー検出ユニットは、前記通信検出および分類装置が移動していることを前記位置／ロケーションユニットが示す場合に動作可能である、Ｃ５０に記載の通信検出および分類装置。
[Ｃ５２]  無線信号を検出し、分類するように構成された通信検出および分類装置であって、前記装置は、
利用可能な無線通信サービスを検出し、前記利用可能な無線通信サービスに関係するシステムパラメータをメモリに記憶するように構成され、前記通信検出および分類装置の近傍内の無線信号を検出し、前記検出された無線信号を記憶するように構成されたエネルギー検出ユニットと、ここにおいて、前記無線信号が、前記検出された利用可能な無線通信サービスのうちの１つを介して通信される、
前記検出された無線信号を分析するように構成された分析ユニットと、
前記分析ユニットの出力に基づいて前記検出された無線信号のアクティビティのタイプを分類するように構成された分類ユニットとを備える、装置。
【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
無線信号を検出し、分類するように構成されたシステムであって、前記システムが、
無線信号を検出し、分類するように構成された通信検出および分類装置を備え、前記通信検出および分類装置が、
現在利用可能な無線通信サービスのためのシステムパラメータを検出し、現在利用可能な前記無線通信サービスに関係する前記検出されたシステムパラメータをメモリに記憶するように構成された通信サービス検出ユニットと、
前記メモリに記憶された現在利用可能な前記無線通信サービスに関係する前記検出されたシステムパラメータを使用して、前記通信検出および分類装置の近傍内の無線通信デバイスからの無線信号を検出するように構成され、前記検出された無線信号を記憶するように構成されたエネルギー検出ユニットと、
前記検出された無線信号に時間分析またはスペクトル分析のうちの１つまたは複数を実行することによって、前記検出された無線信号を分析するように構成された分析ユニットと、
直接、前記分析ユニットの前記時間分析またはスペクトル分析に基づいて前記検出された無線信号によって表されるアクティビティを１つまたは複数の分類に分類するように構成された分類ユニットと、ここにおいて、前記アクティビティのうちの前記１つまたは複数の分類が、テキストメッセージ、音声呼、ユーザ主導型インターネットアクセス、またはバックグラウンド通信のうちの１つまたは複数を含む、
を備える、システム。
【請求項２】
前記通信サービス検出ユニットが、複数の前記無線通信サービスを介して通信するように構成されたマルチモードトランシーバを含み、ここにおいて、現在利用可能な前記無線通信サービスに関係する前記検出されたシステムパラメータが、周波数帯域と、周波数チャネルと、エアインターフェースプロトコルと、ランダムアクセスチャネルパラメータとのうちの１つまたは複数を備える、請求項１に記載のシステム。
【請求項３】
前記マルチモードトランシーバが、現在利用可能な無線通信サービスのための前記システムパラメータを周期的に検出し、前記メモリに記憶された前記検出されたシステムパラメータを更新するように構成された、請求項２に記載のシステム。
【請求項４】
前記マルチモードトランシーバが、現在利用可能な無線通信サービスのための前記システムパラメータを継続的に検出し、前記メモリに記憶された前記検出されたシステムパラメータを更新するように構成された、請求項２に記載のシステム。
【請求項５】
前記エネルギー検出ユニットが制御トリガに基づいてアクティブにされる、請求項２に記載のシステム。
【請求項６】
前記分類ユニットが、前記分類されたアクティビティの時間を示す記録を記憶するようにさらに構成された、請求項１に記載のシステム。
【請求項７】
ピクチャとビデオとのうちの１つまたは複数を記録するように構成されたカメラと、
音を記録するように構成されたマイクロフォンとのうちの少なくとも１つをさらに備え、
ここにおいて、前記分類ユニットが、前記分析ユニットの出力と、前記記録されたピクチャ、ビデオまたは音のうちの１つまたは複数とに基づいて、前記検出された無線信号によって表される前記アクティビティを１つまたは複数の分類に分類するようにさらに構成された、請求項１に記載のシステム。
【請求項８】
前記通信検出および分類装置は、前記エネルギー検出ユニットが前記無線信号を検出したことに応答して、前記カメラをアクティブにするように構成される、請求項７に記載のシステム。
【請求項９】
前記通信検出および分類装置は、前記エネルギー検出ユニットが前記無線信号を検出したことに応答して、前記マイクロフォンをアクティブにするように構成される、請求項７に記載のシステム。
【請求項１０】
前記通信検出および分類装置の位置を決定するように構成された位置／ロケーションユニットをさらに備える、請求項１に記載のシステム。
【請求項１１】
前記エネルギー検出ユニットは、前記通信検出および分類装置が移動していることを前記位置／ロケーションユニットが示す場合に動作可能である、請求項１０に記載のシステム。
【請求項１２】
車両をさらに備え、ここにおいて、前記通信検出および分類装置が車両上にまたは車両内に位置する、請求項１に記載のシステム。
【請求項１３】
通信検出および分類装置を使用して無線信号を検出し、分類する方法であって、前記方法が、
現在利用可能な無線通信サービスのためのシステムパラメータを検出することと、
現在利用可能な前記無線通信サービスに関係する前記検出されたシステムパラメータをメモリに記憶することと、
前記メモリに記憶された現在利用可能な前記無線通信サービスに関係する前記検出されたシステムパラメータを使用して、前記通信検出および分類装置の近傍内の無線通信デバイスからの無線信号を検出することと、
前記検出された無線信号を記憶することと、
前記検出された無線信号に時間分析またはスペクトル分析のうちの１つまたは複数を実行することによって、前記検出された無線信号を分析することと、
直接、前記時間分析またはスペクトル分析のうちの前記１つまたは複数に基づいて前記検出された無線信号によって表されるアクティビティを１つまたは複数の分類に分類することと、ここにおいて、前記アクティビティのうちの前記１つまたは複数の分類が、テキストメッセージ、音声呼、ユーザ主導型インターネットアクセス、またはバックグラウンド通信のうちの１つまたは複数を含む、
を備える、方法。
【請求項１４】
現在利用可能な無線通信サービスを検出することが、複数の前記無線通信サービスを介して現在利用可能な無線通信サービスを検出することを備え、
ここにおいて、現在利用可能な前記無線通信サービスに関係する前記検出されたシステムパラメータが、周波数帯域と、周波数チャネルと、エアインターフェースプロトコルと、ランダムアクセスチャネルパラメータとのうちの１つまたは複数を備える、請求項１３に記載の方法。
【請求項１５】
現在利用可能な無線通信サービスのための前記システムパラメータを周期的に検出することと、
前記メモリに記憶された前記検出されたシステムパラメータを更新することとをさらに備える、請求項１４に記載の方法。
【請求項１６】
現在利用可能な無線通信サービスのための前記システムパラメータを継続的に検出することと、
前記メモリに記憶された前記検出されたシステムパラメータを更新することとをさらに備える、請求項１４に記載の方法。
【請求項１７】
前記通信検出および分類装置の前記近傍内の前記無線通信デバイスからの前記無線信号を検出することが、制御トリガに基づいてアクティブにされる、請求項１４に記載の方法。
【請求項１８】
前記分類されたアクティビティの時間を示す記録を記憶することをさらに備える、請求項１３に記載の方法。
【請求項１９】
前記分析と、記録されたピクチャ、ビデオまたは音のうちの１つまたは複数とに基づいて、前記検出された無線信号によって表される前記アクティビティを１つまたは複数の分類に分類することをさらに備える、請求項１３に記載の方法。
【請求項２０】
前記無線信号を検出したことに応答してカメラをアクティブにすることをさらに備える、請求項１９に記載の方法。
【請求項２１】
前記無線信号を検出したことに応答してマイクロフォンをアクティブにすることをさらに備える、請求項１９に記載の方法。
【請求項２２】
前記通信検出および分類装置の位置を決定することをさらに備える、請求項１３に記載の方法。
【請求項２３】
前記通信検出および分類装置が移動していると決定することをさらに備え、
ここにおいて、前記通信検出および分類装置の近傍内の前記無線通信デバイスからの無線信号を検出することは、前記通信検出および分類装置が移動していると決定された場合に前記通信検出および分類装置の近傍内の前記無線通信デバイスからの無線信号を検出することを備える、請求項２２に記載の方法。
【請求項２４】
前記通信検出および分類装置が車両上にまたは車両内に位置する、請求項１３に記載の方法。
【請求項２５】
無線信号を検出し、分類するように構成されたシステムであって、前記システムが、
現在利用可能な無線通信サービスのためのシステムパラメータを検出するための手段と、
現在利用可能な前記無線通信サービスに関係する前記検出されたシステムパラメータをメモリに記憶するための手段と、
前記メモリに記憶された現在利用可能な前記無線通信サービスに関係する前記検出されたシステムパラメータを使用して、通信検出および分類装置の近傍内の無線通信デバイスからの無線信号を検出するための手段と、
前記検出された無線信号を記憶するための手段と、
前記検出された無線信号に時間分析またはスペクトル分析のうちの１つまたは複数を実行することによって、前記検出された無線信号を分析するための手段と、
直接、前記時間分析またはスペクトル分析のうちの前記１つまたは複数に基づいて前記検出された無線信号によって表されるアクティビティを１つまたは複数の分類に分類するための手段と、ここにおいて、前記アクティビティのうちの前記１つまたは複数の分類が、テキストメッセージ、音声呼、ユーザ主導型インターネットアクセス、またはバックグラウンド通信のうちの１つまたは複数を含む、
を備える、システム。
【請求項２６】
１つまたは複数のプロセッサによって実行されたとき、無線信号を検出し、分類するように構成されたシステムの前記１つまたは複数のプロセッサに、
現在利用可能な無線通信サービスのためのシステムパラメータを検出することと、
現在利用可能な前記無線通信サービスに関係する前記検出されたシステムパラメータをメモリに記憶することと、
前記メモリに記憶された現在利用可能な前記無線通信サービスに関係する前記検出されたシステムパラメータを使用して、通信検出および分類装置の近傍内の無線通信デバイスからの無線信号を検出することと、
前記検出された無線信号を記憶することと、
前記検出された無線信号に時間分析またはスペクトル分析のうちの１つまたは複数を実行することによって、前記検出された無線信号を分析することと、
直接、前記時間分析またはスペクトル分析のうちの前記１つまたは複数に基づいて前記検出された無線信号によって表されるアクティビティを１つまたは複数の分類に分類することと、ここにおいて、前記アクティビティのうちの前記１つまたは複数の分類が、テキストメッセージ、音声呼、ユーザ主導型インターネットアクセス、またはバックグラウンド通信のうちの１つまたは複数を含む、
を行わせる命令を記憶する非一時的なコンピュータ可読記憶媒体。
【請求項２７】
無線信号を検出し、分類するように構成された通信検出および分類装置であって、前記通信検出および分類装置が、
現在利用可能な無線通信サービスのためのシステムパラメータを検出し、現在利用可能な前記無線通信サービスに関係する前記検出されたシステムパラメータをメモリに記憶するように構成された通信サービス検出ユニットと、
前記メモリに記憶された現在利用可能な前記無線通信サービスに関係する前記検出されたシステムパラメータを使用して、前記通信検出および分類装置の近傍内の無線通信デバイスからの無線信号を検出するように構成され、前記検出された無線信号を記憶するように構成されたエネルギー検出ユニットと、
前記検出された無線信号に時間分析またはスペクトル分析のうちの１つまたは複数を実行することによって、前記検出された無線信号を分析するように構成された分析ユニットと、
直接、前記分析ユニットの前記時間分析またはスペクトル分析に基づいて前記検出された無線信号によって表されるアクティビティを１つまたは複数の分類に分類するように構成された分類ユニットと、ここにおいて、前記アクティビティのうちの前記１つまたは複数の分類が、テキストメッセージ、音声呼、ユーザ主導型インターネットアクセス、またはバックグラウンド通信のうちの１つまたは複数を含む、
を備える、通信検出および分類装置。
【請求項２８】
前記通信サービス検出ユニットが、複数の前記無線通信サービスを介して通信するように構成されたマルチモードトランシーバを含み、ここにおいて、現在利用可能な前記無線通信サービスに関係する前記検出されたシステムパラメータが、周波数帯域と、周波数チャネルと、エアインターフェースプロトコルと、ランダムアクセスチャネルパラメータとのうちの１つまたは複数を備える、請求項２７に記載の通信検出および分類装置。
【請求項２９】
前記マルチモードトランシーバが、現在利用可能な無線通信サービスのための前記システムパラメータを周期的に検出し、前記メモリに記憶された前記検出されたシステムパラメータを更新するように構成された、請求項２８に記載の通信検出および分類装置。
【請求項３０】
前記マルチモードトランシーバが、現在利用可能な無線通信サービスのための前記システムパラメータを継続的に検出し、前記メモリに記憶された前記検出されたシステムパラメータを更新するように構成された、請求項２８に記載の通信検出および分類装置。
【請求項３１】
前記通信検出および分類装置は、制御トリガに基づいて前記エネルギー検出ユニットをアクティブにするように構成される、請求項２８に記載の通信検出および分類装置。
【請求項３２】
前記分類ユニットが、前記分類されたアクティビティの時間を示す記録を記憶するようにさらに構成された、請求項２７に記載の通信検出および分類装置。
【請求項３３】
ピクチャとビデオとのうちの１つまたは複数を記録するように構成されたカメラと、
音を記録するように構成されたマイクロフォンとのうちの少なくとも１つをさらに備え、
ここにおいて、前記分類ユニットが、前記分析ユニットの出力と、前記記録されたピクチャ、ビデオまたは音のうちの１つまたは複数とに基づいて、前記検出された無線信号によって表される前記アクティビティを１つまたは複数の分類に分類するようにさらに構成された、請求項２７に記載の通信検出および分類装置。
【請求項３４】
前記通信検出および分類装置は、前記エネルギー検出ユニットが前記無線信号を検出したことに応答して、前記カメラをアクティブにするように構成される、請求項３３に記載の通信検出および分類装置。
【請求項３５】
前記通信検出および分類装置は、前記エネルギー検出ユニットが前記無線信号を検出したことに応答して、前記マイクロフォンをアクティブにするように構成される、請求項３３に記載の通信検出および分類装置。
【請求項３６】
前記通信検出および分類装置の位置を決定するように構成された位置／ロケーションユニットをさらに備える、請求項２７に記載の通信検出および分類装置。
【請求項３７】
前記エネルギー検出ユニットは、前記通信検出および分類装置が移動していることを前記位置／ロケーションユニットが示す場合に動作可能である、請求項３６に記載の通信検出および分類装置。
【国際調査報告】
2016517207.tif 000011
2016517207.tif 000012